(57)【要約】【課題】本発明は、薄型化に適するディスク装置を提供することを目的とする。【解決手段】本発明は、筐体と、記録媒体であるディスクを搬送するディスク搬送手段と、筐体と前記搬送手段を連結する連結手段を有するディスク装置であって、記録媒体を装着する際にはディスク搬送手段を前記筐体から完全に取り出され、筐体は、ダイカストもしくは絞りの追加により剛性が増された板金部材である構成を有することにより、ディスク装置全体の薄型化が可能となる。【選択図】図２
2006134371.tif 000002
【特許請求の範囲】
【請求項１】
筐体と、
記録媒体であるディスクを搬送するディスク搬送手段と、
前記筐体と前記搬送手段を連結する連結手段と
を有するディスク装置であって、
記録媒体を装着する際にはディスク搬送手段を前記筐体から完全に取り出され、
前記筐体は、ダイカストもしくは絞りの追加により剛性が増された板金部材により構成されたことを特徴とするディスク装置。
【請求項２】
記録媒体であるディスクからの情報の読み取り、もしくはディスクへの情報の書き込みを行う光を発光する発光手段と、
前記発光手段から発光される光を前記ディスクの盤面に集光するレンズと、該レンズの駆動装置と、該ディスクからの反射光を読み取る電子部品を有する光学基体と、
前記光学基体を前記ディスクの法線方向に往復移動させる光学基体搬送手段を有するディスク装置であって、
前記光学基体と前記発光手段は、前記光学基体搬送手段の土台のいずれかの部分に取り付けられていることを特徴とするディスク装置。
【請求項３】
前記発光手段は、前記光学基体搬送手段の土台において、弾性部材を介して取り付けられていることを特徴とする請求項２に記載のディスク装置。
【請求項４】
前記光学基体搬送手段の土台において、前記土台の材料として放熱性に優れた部材を用いることを特徴とする請求項２乃至３のいずれかに記載のディスク装置。
【請求項５】
前記放熱性に優れた部材として金属素材が用いられることを特徴とする請求項４に記載のディスク装置。
【請求項６】
前記ディスク搬送手段を筐体に固定するディスク搬送手段固定部材を有し、前記ディスク搬送手段固定部材は過熱により形状が元に戻る形状記憶合金ワイヤにより保持され、前記電子部品から発生する熱により前記形状記憶合金ワイヤの形状が元に戻ることで、前記ディスク搬送手段固定部材が駆動されて、前記ディスク搬送手段の筐体に対する固定が解除されることを特徴とする請求項２〜５いずれか１に記載のディスク装置。
【請求項７】
前記形状記憶合金ワイヤを復元する熱源として、前記発光手段駆動回路に印加された電流によるジュール熱を利用することを特徴とする請求項６に記載のディスク装置。
【請求項８】
前記搬送手段固定部材を駆動して固定を解除する搬送手段固定部材解除手段を有し、筐体を含めた装置全体の高さが７．５ｍｍ以下であることを特徴とする請求項７に記載のディスク装置。
【請求項９】
前記ディスク装置に内包される主基板と外部演算装置を接続する中継基板を有し、
前記中継基板が所定の圧力が印加された巻き取り装置に巻きつけられ、前記ディスク搬送手段を筐体から取り出される際に、筐体外部へ前記中継基板がはみ出すことを防止することを特徴とする請求項１〜８のいずれか１に記載のディスク装置。
【請求項１０】
前記中継基板が、巻き付け可能なフレキシブル基板であることを特徴とする請求項９に記載のディスク装置。
【請求項１１】
前記中継基板の巻き取り装置の有する加圧力は、前記ディスク搬送手段と前記連結手段の
重量、および前記ディスク搬送手段と連結手段間の摩擦係数および前記連結手段と筐体間の摩擦係数を合計した加圧力以下としたことを特徴とする請求項９に記載のディスク装置。
【請求項１２】
前記ディスク搬送手段および前記筐体を含めた高さが７．５ｍｍ以下であり、全高１２．７ｍｍ以下としたことを特徴とする請求項１〜１１のいずれか１に記載のディスク装置。
【請求項１３】
前記ディスク搬送装置はトレイであり、前記連結手段がレールであることを特徴とする請求項１〜１２のいずれか１に記載のディスク装置。
【発明の詳細な説明】
【技術分野】
【０００１】
本発明は、ＭＯ、ＰＤ、ＣＤ、ＣＤ−ＲＯＭ、ＣＤ−Ｒ、ＣＤ−ＲＷ、ＤＶＤ−ＲＯＭ、ＤＶＤ−ＲＡＭ、±ＲＷ、±Ｒ等の光学式再生及び記録関連情報ディスク装置に関するものである。これ以降、ディスクを再生及び記録させる装置としてＣＤ−ＲＯＭドライブ装置、ＰＤドライブ装置などのタイプが存在するが、本発明においてはこれら全体を包括する表現としてディスク装置と表記する。
【背景技術】
【０００２】
近年、ディスク装置は装置の小型化、薄型化が進み携帯型のパーソナルコンピュータに内蔵される場合が増加している。それに伴い、そのキーデバイスの一つである光ピックアップに更なる小型化及び薄型化が要求されている。さらに近年ではノートブック型の持ち運びが簡便でありまた小型、薄型のコンピュータに内蔵されることが多くなっている。また、これはコンピュータで使用するソフトウェアの大容量化、また雑誌媒体などから配布されるメディアとして安価であるＣＤ−ＲＯＭが多く採用されていることも要因の一つとなっている。それに伴い、光ディスクドライブのコンピュータへの搭載は必然となっているのが現状である。
【０００３】
ここで、最初に、主としてノートＰＣ及び薄型デスクトップＰＣ（ディスプレイ本体一体型含む）に用いられる全高１２．７ｍｍ以下のディスクドライブの構造について説明する。従来から採用されている方式として主に２つの方式が挙げられる。一つめとしてはユーザが自らディスクをもち、光ピックアップの構成部品であるターンテーブルに直接ディスクを取り付けた後にターンテーブルを含むディスク搬送手段を自身の手によりドライブ筐体内部へ押し込むことによりディスクの再生、記録が可能状態となるドロア方式である。二つ目として、ディスクを装置の前面まで運び、そのディスクを装置の前面に設けられたフロントベゼルと呼ばれるカバーに設けられたスリットに挿入しある程度の位置まで装置内部に挿入すると、装置内部に設けられたローラ等の機構によりディスクを装置の内部すなわちターンテーブルに位置決めできる位置まで自動的に吸い込んでいくスロットローディングと呼ばれる方式があるが、市場においては圧倒的にドロア方式が優位であり、その市場の殆どを占めている状態である。
【０００４】
このドロア方式において、ディスク搬送手段と、ディスク装置とＰＣを接続するための基板を電気的に接続する方法として、Ｕ字型のフレキシブル基板が用いられている。
【０００５】
図１０はドロア方式のドライブの全体図で、ディスク搬送手段と、ディスク装置とＰＣを接続するための基板の電気的な接続を示した図である。図１０において、１０１はトレイと呼ばれる搬送手段、１０２はスピンドルモータ、１０３はターンテーブル、１０４はフロントベゼル、１０５は搬送手段と筐体を連結するレール、１０６ａは筐体を構成し、上方からの荷重等からドライブの保護を行うアッパーカバー、１０６ｂは筐体下部を構成し搬送手段１０１、レール１０５等を支持するボトムカバー、１０７はボトムカバー１０６ｂに取り付けられ、レール１０５と搬送手段１０１の摺動を円滑に行うための部材であるレールガイド、１０８はこの例においてはボトムカバー１０６ｂに取り付けられる主基板、１０９は主基板１０８と搬送手段１０１に取り付けられたディスクに記録された情報を読みとるためのピックアップモジュールとの電気的な接合を行うための副基板、１１０は副基板１０９と主基板１０８の電気的な接続を行うためのフレキシブル基板である。また、図１１（ａ）および図１１（ｂ）は近年主に用いられている搬送手段を筐体に保持しておくための機構部分の部分拡大図である。１１１はラッチングソレノイドと呼ばれる永久磁石を磁気回路に使用し吸着状態での保持は永久磁石の吸着力で行う作動装置である。
１１１ａはプランジャ、１１１ｂはコイル、１１１ｃは永久磁石である。１１２はボトムカバーに取り付けられた固定ピン１１３と係合し搬送手段を筐体内部に保持しておくための固定手段、１１４は固定手段に回転方向の荷重を印加するための固定手段回動スプリング、１１５はラッチングソレノイドに電流が印加された際にプランジャを図中ｈ方向に引っぱることにより固定を解除する固定解除部材、１１６は固定解除部材１１０にプランジャ１１１ａを引っ張る力を印加する固定解除スプリング、１１７は搬送手段をボトムカバー１０６ｂに挿入する際に固定ピン１１３と衝突することにより固定解除部材１１５を固定位置に復帰するための復帰部材、１１８は復帰部材１１７が搬送手段１０１をボトムカバー１０６ｂに挿入する際に固定ピン１１３と正確に衝突する位置に留まる様に保持する保持スプリングである。図１１（ａ）がラッチングソレノイド１１１により搬送手段５が固定された状態である。図１１（ｂ）はラッチングソレノイド１１１に通電後、固定解除スプリング１１６により固定が解除された状態を示す図である。
【０００６】
図１１（ａ）の状態でコイル１１１ｂに通電すると、永久磁石１１１ｃの吸着力をキャンセルする磁界が発生し、固定解除スプリング１１６によりプランジャ１１１ａが図中ｈ方向へ移動し、同時に固定解除部材１１５が図中ｊ方向に回転する。そして固定解除部材１１５が固定手段１１２に回転方向の動力をあたえることにより、搬送手段５の固定が解除される。次に、搬送手段５がディスクを装着後、ボトムカバー１０６ｂに挿入される際にはボトムカバー上に取り付けられている固定ピン１１３が相対的に図中ｌ方向に移動し、復帰部材１１７と衝突することにより復帰部材１１７は図中ｋ方向に回転し、復帰部材１１７と勘合する固定解除部材１１５を解除時と逆方向に回転させ、それに応じてプランジャ１１１ａがｈ方向と逆方向に移動し、１１１ｃの永久磁石に吸着し、搬送手段５の固定が完了する。薄型のディスク装置の先行例としては、（特許文献１）がある。
【特許文献１】特開２００３−１５１１９９号公報
【発明の開示】
【発明が解決しようとする課題】
【０００７】
現在、このようなディスク装置が携帯性を重視するノートブック型コンピュータにおいて採用されている。
【０００８】
ＣＤ−ＲＯＭドライブ装置はその全高が１２．７ｍｍのものが多く採用されており、最近では更に携帯性を重視した薄型、軽量のノートブック型コンピュータには全高が９．５ｍｍの物が採用され始めている。そのため、今後はより一層の薄型化、軽量化が要求されると思われる。また一方では、ドライブの多機能化により、光学基台及びそれを支持、搬送するピックアップモジュールの大型化が進んでおり、搬送手段および作動手段に割り当てることが出来る領域は減少する一方である。
【０００９】
そこで、本発明では、上記問題を解決し、従来の技術と比較して非常に薄いディスク装置を構成し、また、７．５ｍｍの厚さ以下で、ディスク装置を構成することを実現できる目的とする。
【課題を解決するための手段】
【００１０】
本発明は、筐体と、記録媒体であるディスクを搬送するディスク搬送手段と、筐体と前記搬送手段を連結する連結手段を有するディスク装置であって、記録媒体を装着する際にはディスク搬送手段を前記筐体から完全に取り出され、筐体は、ダイカストもしくは絞りの追加により剛性が増された板金部材である構成を有する。
【発明の効果】
【００１１】
以上のように、本発明は、筐体をフレームと呼ばれるダイカストもしくは絞り等の追加により剛性を増した板金部材により構成することによりディスク装置全体の薄型化が可能
となる。
【発明を実施するための最良の形態】
【００１２】
本発明の請求項１記載の発明は、筐体と、記録媒体であるディスクを搬送するディスク搬送手段と、前記筐体と前記搬送手段を連結する連結手段とを有するディスク装置であって、記録媒体を装着する際にはディスク搬送手段を前記筐体から完全に取り出され、前記筐体は、ダイカストもしくは絞りの追加により剛性が増された板金部材により構成されたことを特徴としているため、ディスク装置全体の薄型化と筐体全体としての剛性の確保を同時に行うことが出来るという作用を有する。
【００１３】
本発明の請求項２に記載の発明は記録媒体であるディスクからの情報の読み取り、もしくはディスクへの情報の書き込みを行う光を発光する発光手段と、前記発光手段から発光される光を前記ディスクの盤面に集光するレンズと、該レンズの駆動装置と、該ディスクからの反射光を読み取る電子部品を有する光学基体と、前記光学基体を前記ディスクの法線方向に往復移動させる光学基体搬送手段を有するディスク装置であって、前記光学基体と前記発光手段は、前記光学基体搬送手段の土台のいずれかの部分に取り付けられていることを特徴としており、光学基台の薄型化を図る際にその部品全体の高さが問題となる発光手段をディスクの下部分以外に配置することによりディスク装置全体の薄型化を実現できるという作用を有する。
【００１４】
本発明の請求項３に記載の発明は、前記発光手段は、前記光学基体搬送手段の土台において、弾性部材を介して取り付けられていることを特徴とする請求項２に記載のディスク装置であり、ディスク装置に外部から加わる荷重や振動、衝撃に対して発光手段を保護するという作用を有する。
【００１５】
本発明の請求項４に記載の発明は、前記光学基体搬送手段の土台において、前記土台の材料として放熱性に優れた部材を用いることを特徴とする請求項２乃至３のいずれかに記載のディスク装置であり、著しく発熱する発光手段及び発光手段を制御する電子部品の放熱を効果的に行うことが出来、耐熱性に優れたピックアップモジュール及びディスク装置を実現できるという作用を有する。
【００１６】
本発明の請求光５に記載の発明は、前記放熱性に優れた部材として金属素材が用いられることを特徴とする請求項４に記載のディスク装置であり、著しく発熱する発光手段及び発光手段を制御する電子部品の放熱を効果的に行うことが出来、耐熱性に優れたピックアップモジュール及びディスク装置を実現できるという作用を有する。
【００１７】
本発明の請求項６に記載の発明は、前記ディスク搬送手段を筐体に固定するディスク搬送手段固定部材を有し、前記ディスク搬送手段固定部材は過熱により形状が元に戻る形状記憶合金ワイヤにより保持され、前記電子部品から発生する熱により前記形状記憶合金ワイヤの形状が元に戻ることで、前記ディスク搬送手段固定部材が駆動されて、前記ディスク搬送手段の筐体に対する固定が解除されることを特徴とする請求項２〜５いずれか１に記載のディスク装置であって、非常に薄型の作動装置を構成できるという作用を有する。
【００１８】
本発明の請求項７に記載の発明は、前記形状記憶合金ワイヤを復元する熱源として、前記発光手段駆動回路に印加された電流によるジュール熱を利用することを特徴とする請求項６に記載のディスク装置であって、より投影面積が小型である作動装置を構成できるという作用を有する。
【００１９】
本発明の請求項８に記載の発明は、前記搬送手段固定部材を駆動して固定を解除する搬送手段固定部材解除手段を有し、筐体を含めた装置全体の高さが７．５ｍｍ以下であるこ
とを特徴とする請求項７に記載のディスク装置であり、近年市場に登場してきている非常に薄型であるノートＰＣに搭載可能となるという作用を有する。
【００２０】
本発明の請求項９に記載の発明は、前記ディスク装置に内包される主基板と外部演算装置を接続する中継基板を有し、前記中継基板が所定の圧力が印加された巻き取り装置に巻きつけられ、前記ディスク搬送手段を筐体から取り出される際に、筐体外部へ前記中継基板がはみ出すことを防止することを特徴とする請求項１〜８のいずれか１に記載のディスク装置であって、ディスク装置筐体の下面の大きな領域を切り欠くことが出来、装置全体の薄型および軽量化を実現できるという作用を有する。
【００２１】
本発明の請求項１０に記載の発明は、前記中継基板が、巻き付け可能なフレキシブル基板であることを特徴とする請求項９に記載のディスク装置であって、ディスク装置筐体の下面の大きな領域を切り欠くことが出来、装置全体の薄型および軽量化を実現できるという作用を有する。
【００２２】
本発明の請求項１１に記載の発明は、前記中継基板の巻き取り装置の有する加圧力は、前記ディスク搬送手段と前記連結手段の重量、および前記ディスク搬送手段と連結手段間の摩擦係数および前記連結手段と筐体間の摩擦係数を合計した加圧力以下としたことを特徴とする請求項９に記載のディスク装置であって、且つ巻き取り装置の張力を最適化することにより、搬送手段を筐体に挿入する際の補助力として用いて使用者の操作力を低減することが出来るという作用を有する。
【００２３】
本発明の請求項１２に記載の発明は、前記ディスク搬送手段および前記筐体を含めた高さが７．５ｍｍ以下であり、全高１２．７ｍｍ以下としたことを特徴とする請求項１〜１１のいずれか１に記載のディスク装置であり、主としてノートＰＣ及び薄型デスクトップＰＣ（ディスプレイ本体一体型含む）に用いられる全高１２．７ｍｍ以下のディスクドライブに各発明に記載する構造を利用できるという作用を有する。
【００２４】
本発明の請求項１３に記載の発明は、前記ディスク搬送装置はトレイであり、前記連結手段がレールであることを特徴とする請求項１〜１２のいずれか１に記載のディスク装置であり、ディスク装置全体の薄型化と筐体全体としての剛性の確保を同時に行うことが出来るという作用を有する。
【００２５】
以下、本発明を実施するための最良の形態を、図面を参照しつつ更に具体的に説明する。ここで、添付図面において同一の部材には同一の符号を付しており、また、重複した説明は省略されている。なお、ここでの説明は本発明が実施される最良の形態であることから、本発明は当該形態に限定される物ではない。
【００２６】
（実施の形態１）
以下、本発明の実施の形態について、図を用いて説明する。図１は本発明のディスク装置の全体図である。図２は本発明のディスク装置の裏面図である。図３は本発明のフレキシブル基板巻き取り部周辺図である。図４は図３のＸ−Ｘ線断面図である。図５は図２のＹ−Ｙ線断面図である。図６は発光手段及び搬送手段固定手段付近拡大図である。図７は発光手段付近分解図である。図８は搬送手段固定手段動作説明図である。図９は搬送手段強制取り出し動作を示す図である。図１において、１は本体全体をカバーするアッパーカバー、２はドライブ全体を構成するフレームであり、フレーム２はダイカストもしくは絞りの追加により剛性が増された板金部材により構成されている。３は主基板と外部のＰＣを接続するための中継基板の接続を行うためのフレキシブル基板、４はフレーム２と搬送手段５を連結するためのレール、５はトレイと呼ばれるディスクの搬送手段、６はディスクを回転させるスピンドルモータ、７はディスクに記録された情報を読み込む、もしくは
情報をディスクに記録するための光ピックアップ、８はドライブ前面に取り付けられ、ノートＰＣの表面に露出しており、ノートＰＣの筐体の一部をなすベゼル、９は搬送手段を本体から取り出す際に、搬送手段固定手段を解放する支持を行うイジェクトボタン、１０はスピンドルモータ、発光手段、光ピックアップ等を含み、光ピックアップをディスクの法線方向に搬送することによりディスク全体の情報を読みとる、もしくは書きこむ機能を有するピックアップモジュール、１１は搬送手段を２のフレーム内に留める際のフックとなる固定ピン、１２は搬送手段５の下側から取り付けられピックアップモジュール及び主基板を保護する役割を持つトレイカバーである。搬送手段５はレール４を介してフレーム２に取り付けられており、ディスクの取り出し／収納時必要に応じて前後方向に摺動することが出来る。
【００２７】
図２及び図３において、１３はディスク装置全体を制御するための主基板、１４は発光手段からの光をピックアップ７まで伝達する光ファイバー、１５はディスク装置とノートもしくはデスクトップ型のＰＣを接続するためのインターフェースコネクタ、１６はフレーム２に取り付けられ、インターフェースコネクタを実装するためのコネクタ基板、１７はフレキシブル基板３を巻き取るためのＦＰＣ巻き取りローラー、１８は主基板１３に実装されており、フレキシブル基板３と主基板１３の電気的接続を行うためのＦＰＣコネクタ、１９はＦＰＣ巻き取りローラー１７に図中矢印ｃ方向に一定の張力をかけておき、フレキシブル基板３を巻き取る原動力となるＦＰＣ巻き取りスプリングである。図４は図３のＸ−Ｘ断面図である。この図に示すように、フレキシブル基板３は常に図中矢印方向に巻き取られる方向に張力が加えられているために搬送手段５をフレーム２から取り出す際にもディスク装置の垂直方向に垂れ下がってしまうことがない。また、この張力は、搬送手段５をフレーム２から完全に取り出した際に搬送手段５およびレール４、フレーム２の間に発生する摩擦力より低く設定することで搬送手段５を引き出した際にも意図せず搬送手段５がフレーム２の中に戻ったりすることはない。また、多少のフレキシブル基板３を巻きあげる張力は付加されているため、搬送手段５をフレーム２に収納する際には操作者の搬送手段の挿入に関して補助を行うことが可能となる。この構造を採用することから、フレーム２の底面を広い面積で切り欠くことが出来、その結果ピックアップモジュール及び主基板に割り当てることが出来る高さを増やすことが出来るため、装置全体を薄型化することが可能となる。
【００２８】
（実施の形態２）
図６〜９において、２０は搬送手段５をフレーム２の内部に留めておくためのロックアーム、２１は２０に対してかしめて固定されており、２２の形状記憶合金ワイヤを巻き付けられており搬送手段５を取り出す際にはロックアーム２０を引っ張り回動させる際の支点となるロックアームシャフト、２２は加熱すると、予め荷重を加えておくことにより発生していたひずみが消えて元に戻るという形状記憶合金ワイヤ、２３はロックアームを搬送手段５を固定する方向に回動させ、また２２の形状記憶合金ワイヤに予めひずみを与えておくためのロックアームスプリング、２４はロックアーム２０の回転の支点となるロックシャフト、２５は搬送手段を電気的な手段ではなく強制的に取り出す際にピン等の部材を挿入するための強制イジェクト孔、２７は発光手段を包含しピックアップモジュールに取り付ける際の土台となる発光手段モジュール、２８は搬送手段を電気的に取り出す際にイジェクトボタンの動きを２９の伝熱プレートに伝えるためのイジェクトピン、３０は発光手段を制御するためのＬＤドライバ、３１は発光手段モジュール２７及びＬＤドライバ３０の熱を効果的に２９の伝熱プレートに伝える役割と伝熱プレートがスムーズに摺動するようにするための伝熱シート、３２は形状記憶合金ワイヤを引っかけておくための形状記憶合金ワイヤ支持シャフト、３３は伝熱プレートの移動を検知する検知スイッチ、３４は３１の伝熱シートからは浮いた状態で３６のベースに取り付けられており、暖められた状態の伝熱プレートと接触することにより形状記憶合金ワイヤへ熱を伝熱するための受熱ブロック、３５は通常時伝熱プレートが受熱ブロック３４に接触しないように図中矢印方
向に引っ張っておく伝熱プレート復帰スプリング、３６はピックアップモジュール全体を構成するベース、３７は伝熱プレート２９をベース３６上に支持する伝熱プレート支持シャフト、３８は発光手段モジュールを３９の発光手段モジュール支持スプリングを介して支持するための発光手段支持板金である。
【００２９】
次に以上のように構成されたディスク装置の動作について、図５〜８を用いて説明する。
【００３０】
ディスク装置から、搬送手段５を取り出してディスクの取り出しもしくは取り付けを行う際に、操作者は先ず、イジェクトボタン９を押す。イジェクトボタン９を押すと、その動きに連動する形でイジェクトピン２８及びイジェクトピン２８と接している伝熱プレート２９が図７中ｄ方向へ移動する。検知スイッチ３４のスイッチ部分は初期状態では伝熱プレート２９に設けられた切り欠き部分に潜り込む形となっているが、伝熱プレート２９が移動するとともに切り欠き分以外の部分に乗り上げて、スイッチが入った状態となる。このスイッチが入った状態で、主基板からの命令により、発光手段モジュール２７及びＬＤドライバ３０をある一定以上の出力で動作させることにより発光手段モジュール２７及びＬＤドライバ３０は短時間で著しく発熱する。そしてその熱は熱伝導シート３１を介して伝熱プレート２９に伝導する。そして最終的に伝熱プレート２９の熱が受熱ブロック３４に伝熱し、受熱ブロック３４に取り付けられた形状記憶合金ワイヤ２２へ伝導し、ロックアームスプリング２３により予め荷重を加えられており、伸びる方向に発生していたひずみが消えて元の長さ（通常１０％程度縮む）に戻ることにより、ロックアーム２０は図中ｅ方向に回転し、その結果フレーム２上のロックピン４１から外れるため、搬送手段５のフレーム２に対する固定が解放され、レール４と搬送手段５の間に設けられたイジェクトスプリング２０によりフレーム２から排出される。搬送手段５排出後は、操作者がイジェクトボタン９から手を離すため、伝熱プレート２９は伝熱プレート復帰スプリング３５により初期状態に復帰する。これにより、受熱ブロック３４は保持している熱を急速に失い、接続されている形状記憶スプリングも再度ロックアームスプリング２３に引っ張られるため、搬送手段５を固定できる状態に復帰できる状態となる。
【００３１】
もし、電池切れ等の事故により、ディスク装置に電流が供給されなくなった場合においても、図８（ａ）及び図８（ｂ）に示すように、２５の強制イジェクト孔から図中ｆ方向に細いピン等の部材である強制イジェクトピン４０を挿入することにより、ロックアーム２０を図中ｇ方向に回転させ、搬送手段５のフレーム２に対する固定を解放することが出来る。
【００３２】
また、前記形状記憶合金ワイヤを駆動する際に必要となる熱を、前記発光手段駆動回路等の電気回路から印加された電流によるジュール熱を利用する場合は、ＬＤドライバ３０が実装されている基板に端子を設け、その部分に形状記憶合金ワイヤ２２の両端を溶接等の方法で固定し、必要に応じて一定量の電流を加えることで同様の機能を持たせることが可能である。ここではその構造については類似の構造となるので詳細な説明は割愛する。
【００３３】
以上のことから、ディスク装置に本発明の搬送手段固定手段および解放手段を活用すれば、従来と比較して投影面積が少なく、且つ薄型の作動装置を構成することが出来、結果としてディスク装置の薄型化を実現することが出来る。
【産業上の利用可能性】
【００３４】
本発明にかかるディスク装置は、薄型化が要求されるＭＯ、ＰＤ、ＣＤ、ＣＤ−ＲＯＭ、ＣＤ−Ｒ、ＣＤ−ＲＷ、ＤＶＤ−ＲＯＭ、ＤＶＤ−ＲＡＭ、±ＲＷ、±Ｒ等の光学式再生及び記録関連情報ディスク装置に適応可能である。
【図面の簡単な説明】
【００３５】
【図１】本発明のディスク装置の全体図
【図２】本発明のディスク装置の裏面図
【図３】フレキシブル基板巻き取り部周辺図
【図４】図３のＸ−Ｘ線断面図
【図５】図２のＹ−Ｙ線断面図
【図６】発光手段及び搬送手段固定手段付近拡大図
【図７】発光手段付近分解図
【図８】搬送手段固定手段動作説明図
【図９】搬送手段強制取り出し動作説明図
【図１０】従来のディスク装置の全体図
【図１１】従来のディスク装置に用いられる搬送手段固定手段動作説明図
【符号の説明】
【００３６】
１    アッパーカバー
２    フレーム
３    フレキシブル基板
４    レール
５    搬送手段
６    スピンドルモータ
７    光ピックアップ
８    ベゼル
９    イジェクトボタン
１０    ピックアップモジュール
１１    固定ピン
１２    トレイカバー
１３    主基板
１４    光ファイバー
１５    インターフェースコネクタ
１６    コネクタ基板
１７    ＦＰＣ巻き取りローラー
１８    ＦＰＣコネクタ
１９    ＦＰＣ巻き取りスプリング
２０    ロックアーム
２１    ロックアームシャフト
２２    形状記憶合金ワイヤ
２３    ロックアームスプリング
２４    ロックシャフト
２５    強制イジェクト孔
２６    ステム
２７    発光手段モジュール
２８    イジェクトピン
２９    伝熱プレート
３０    ＬＤドライバ
３１    伝熱シート
３２    形状記憶合金ワイヤ支持シャフト
３３    検知スイッチ
３４    受熱ブロック
３５    伝熱プレート復帰スプリング
３６    ベース
３７    伝熱プレート支持シャフト
３８    発光手段支持板金
３９    発光手段支持スプリング
４０    強制イジェクトピン
１０１    搬送手段
１０２    スピンドルモータ
１０３    ターンテーブル
１０４    フロントベゼル
１０５    レール
１０６ａ    アッパーカバー
１０６ｂ    ボトムカバー
１０７    レールガイド
１０８    主基板
１０９    副基板
１１０    フレキシブル基板
１１１ａ    プランジャ
１１１ｂ    コイル
１１１ｃ    永久磁石
１１２    固定手段
１１３    固定ピン
１１４    固定手段回動スプリング
１１５    固定解除部材
１１６    固定解除スプリング
１１７    復帰部材
１１８    保持スプリング
【図１】
2006134371.tif 000003
【図２】
2006134371.tif 000004
【図３】
2006134371.tif 000005
【図４】
2006134371.tif 000006
【図５】
2006134371.tif 000007
【図６】
2006134371.tif 000008
【図７】
2006134371.tif 000009
【図８】
2006134371.tif 000010
【図９】
2006134371.tif 000011
【図１０】
2006134371.tif 000012
【図１１】
2006134371.tif 000013